【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
ディスプレイ、少なくとも一つのプロセッサ、およびメモリを備える電子デバイスであって、前記メモリは、複数の命令を有し、前記複数の命令は、前記少なくとも一つのプロセッサによって実行される場合に、少なくとも、
前記電子デバイスにインストールされたアプリケーションに対する時間制限を取得する段階と、
前記アプリケーションに対応するアプリケーションアイコンに対する第１の入力に応じて、前記アプリケーションを開始する段階と、
前記アプリケーションに対する使用時間を計算する段階と、
前記アプリケーションに対する前記使用時間が前記時間制限に達することを示す第１の提示を表示する段階と、
時間延長を要求する命令を受信する段階と、
前記時間延長を要求する命令を受信した後に、第１の認証を実行する段階と、
前記第１の認証が成功した後に、前記アプリケーションに対する使用時間を延長する段階と、を前記電子デバイスに実行させる
電子デバイス。
【請求項２】
前記複数の命令は、前記少なくとも一つのプロセッサによって実行される場合に、
第２の認証が成功した後に、前記アプリケーションを含む第１のアプリケーションリストを表示する段階と、
該アプリケーションリストから前記アプリケーションを選択するための第２の入力を受信する段階と、
前記アプリケーションのための前記時間制限を受信する段階と、
前記アプリケーションのための前記時間制限を表示する段階と、を前記電子デバイスにさらに実行させる
請求項１に記載の電子デバイス。
【請求項３】
前記複数の命令は、前記少なくとも一つのプロセッサによって実行される場合に、
前記アプリケーションを含む第２のアプリケーションリストを表示する段階と、
該アプリケーションリストから前記アプリケーションを選択するための第３の入力を受信する段階と、
第３の認証が成功した後に、前記アプリケーションのための前記時間制限を受信する段階と、
前記アプリケーションのための前記時間制限を表示する段階と、を前記電子デバイスにさらに実行させる
請求項１に記載の電子デバイス。
【請求項４】
前記複数の命令は、前記少なくとも一つのプロセッサによって実行される場合に、
前記アプリケーションに対する前記時間制限と前記使用時間との間の差が予め設定された閾値と同じまたは未満である場合には、第２の提示を表示する段階を前記電子デバイスにさらに実行させる
請求項１から３のいずれか一項に記載の電子デバイス。
【請求項５】
前記複数の命令は、前記少なくとも一つのプロセッサによって実行される場合に、
前記アプリケーションに対する前記使用時間が前記時間制限に達する場合に、前記アプリケーションをロックする段階を前記電子デバイスにさらに実行させる
請求項１から４のいずれか一項に記載の電子デバイス。
【請求項６】
前記アプリケーションに対する前記使用時間を前記延長する段階は、前記アプリケーションに対する前記使用時間を、予め定められた時間だけ延長する段階を有する
請求項１から５のいずれか一項に記載の電子デバイス。
【請求項７】
前記複数の命令は、前記少なくとも一つのプロセッサによって実行される場合に、
前記アプリケーションに対する前記使用時間が前記時間制限に達する場合に、異なる外観を有する前記アプリケーションアイコンを表示する段階を前記電子デバイスにさらに実行させる
請求項１から６のいずれか一項に記載の電子デバイス。
【請求項８】
ディスプレイ、少なくとも一つのプロセッサ、およびメモリを備える電子デバイスであって、前記メモリは、複数の命令を有し、前記複数の命令は、前記少なくとも一つのプロセッサによって実行される場合に、少なくとも、
前記電子デバイスにインストールされたアプリケーションに対する第１の入力を受信する段階であって、時間制限が前記アプリケーションに対して予め設定されている、段階と、
前記第１の入力に応じて、前記アプリケーションを開始する段階と、
前記アプリケーションの使用継続時間が前記時間制限に達することを示す第１の通知と、前記アプリケーションの使用継続時間を延長するためのオプションとを表示する段階と、
前記オプションに対する第２の入力を受信する段階と、
前記第２の入力に応じて、第１の認証のためのインタフェースを表示する段階と、
前記第１の認証が成功した後に、前記アプリケーションの前記使用継続時間を延長する段階と、を前記電子デバイスに実行させる
電子デバイス。
【請求項９】
前記複数の命令は、前記少なくとも一つのプロセッサによって実行される場合に、
前記アプリケーションの前記使用継続時間が前記時間制限に達する場合に、前記アプリケーションをロックする段階を前記電子デバイスにさらに実行させる
請求項８に記載の電子デバイス。
【請求項１０】
前記アプリケーションの前記使用継続時間を延長する段階では、前記複数の命令は、前記少なくとも一つのプロセッサによって実行される場合に、
前記アプリケーションの前記使用継続時間を、予め定められた時間だけ延長する段階を前記電子デバイスにさらに実行させる
請求項８または９に記載の電子デバイス。
【請求項１１】
前記アプリケーションの前記使用継続時間を延長する段階では、前記複数の命令は、前記少なくとも一つのプロセッサによって実行される場合に、
前記アプリケーションの前記使用継続時間をリセットする段階を前記電子デバイスにさらに実行させる
請求項８または９に記載の電子デバイス。
【請求項１２】
前記アプリケーションに対して間隔が予め設定され、
前記複数の命令は、前記少なくとも一つのプロセッサによって実行される場合に、
前記アプリケーションを開始する前に、前記アプリケーションを開始する現在の時点と前記アプリケーションを終了させる前回の時点との間の期間が前記間隔に即しているかを決定する段階を前記電子デバイスにさらに実行させる
請求項８から１１のいずれか一項に記載の電子デバイス。
【請求項１３】
前記アプリケーションを開始する前に、前記複数の命令は、前記少なくとも一つのプロセッサによって実行される場合に、
第２の認証が成功した後に、前記アプリケーションを含む第１のアプリケーションリストを表示する段階と、
該アプリケーションリストから前記アプリケーションの選択を受信する段階と、
前記アプリケーションに対する前記時間制限を設定するための第３の入力を受信する段階と、を前記電子デバイスにさらに実行させる
請求項８から１１のいずれか一項に記載の電子デバイス。
【請求項１４】
前記アプリケーションを開始する前に、前記複数の命令は、前記少なくとも一つのプロセッサによって実行される場合に、
前記アプリケーションを含む第２のアプリケーションリストを表示する段階と、
該アプリケーションリストから前記アプリケーションの選択を受信する段階と、
第３の認証が成功した後に、前記アプリケーションに対する前記時間制限を設定するための第４の入力を受信する段階と、を前記電子デバイスにさらに実行させる
請求項８から１３のいずれか一項に記載の電子デバイス。
【請求項１５】
前記第１の認証は、指紋認証またはスクリーンパスワード認証を含む
請求項８から１４のいずれか一項に記載の電子デバイス。
【請求項１６】
前記複数の命令は、前記少なくとも一つのプロセッサによって実行される場合に、
前記時間制限が前記アプリケーションに対して設定されたことを示すべく、前記アプリケーションに対応するアプリケーションアイコン上に識別子を表示する段階を前記電子デバイスにさらに実行させる
請求項８から１５のいずれか一項に記載の電子デバイス。
【請求項１７】
前記複数の命令は、前記少なくとも一つのプロセッサによって実行される場合に、
前記識別子に対する第５の入力を受信する場合に前記時間制限を表示する段階を前記電子デバイスにさらに実行させる
請求項１６に記載の電子デバイス。
【請求項１８】
前記複数の命令は、前記少なくとも一つのプロセッサによって実行される場合に、
前記アプリケーションの前記時間制限と前記使用継続時間との間の差が予め設定された閾値と同じまたは未満である場合には、第２の通知を表示する段階を前記電子デバイスにさらに実行させる
請求項８から１７のいずれか一項に記載の電子デバイス。
【請求項１９】
格納された複数の命令を含む非一時的コンピュータ可読媒体であって、前記複数の命令は、少なくとも一つのプロセッサによって実行される場合に、
電子デバイスにインストールされたアプリケーションに対する時間制限を取得する段階と、
前記アプリケーションに対応するアプリケーションアイコンに対する第１の入力に応じて、前記アプリケーションを開始する段階と、
前記アプリケーションに対する使用時間を計算する段階と、
前記アプリケーションに対する前記使用時間が前記時間制限に達することを示す第１の提示を表示する段階と、
時間延長を要求する命令を受信する段階と、
前記時間延長を要求する命令を受信した後に、第１の認証を実行する段階と、
前記第１の認証が成功した後に、前記アプリケーションに対する使用時間を延長する段階と、を前記電子デバイスに実行させる
非一時的コンピュータ可読媒体。
【請求項２０】
前記複数の命令は、前記少なくとも一つのプロセッサによって実行される場合に、
第２の認証が成功した後に、前記アプリケーションを含むアプリケーションリストを表示する段階と、
前記アプリケーションリストから前記アプリケーションを選択するための第２の入力を受信する段階と、
前記アプリケーションのための前記時間制限を受信する段階と、
前記アプリケーションのための前記時間制限を表示する段階と、を前記電子デバイスに実行させる
請求項１９に記載の非一時的コンピュータ可読媒体。